(57)【特許請求の範囲】
【請求項１】
ホログラフィを利用した情報を記録するための記録領域と前記記録領域に基準マークを用いて基準波長が記録された複数の波長調整用基準領域を有する光情報記録媒体に対して、光源からの光ビームを照射して、前記光情報記録媒体に情報を記録する、および／または前記光情報記録媒体に記録された情報を再生する光情報記録再生装置において、前記基準マークの再生信号から基準波長を検出する波長検出部と、情報の記録・再生時に、前記波長検出部の検出による基準波長を基に前記光源の波長を調整する波長調整部を備えるとともに、前記波長調整部は、前記光情報記録媒体の複数の波長調整用基準領域から得られる複数の基準波長を基に補間処理を施して記録あるいは再生位置での最適波長を算出し、前記光源の波長を前記算出した最適波長に調整してなる、光情報記録再生装置。
【請求項２】
前記波長調整部は、前記光情報記録媒体の少なくとも内周と外周に配置された２つの波長調整用基準領域から得られるそれぞれの基準波長を基に補間処理を施して記録あるいは再生位置での最適波長を算出し、前記光源の波長を前記算出した最適波長に調整してなる、請求項１に記載の光情報記録再生装置。
【請求項３】
周囲温度を検出する温度検出部を備え、前記波長調整部は、前記温度検出部の検出温度を監視し、検出温度が所定以上の変化を示したときには、前記光源の波長を再調整してなる、請求項１に記載の光情報記録再生装置。
【請求項４】
ホログラフィを利用した情報を記録するための記録領域と前記記録領域に基準マークを用いて基準波長が記録された複数の波長調整用基準領域を有する光情報記録媒体に対して、光源からの光ビームを照射して、前記光情報記録媒体に情報を記録する、および／または前記光情報記録媒体に記録された情報を再生する光情報記録再生方法において、前記基準マークの再生信号から基準波長を検出する波長検出工程と、情報の記録・再生時に、前記検出による基準波長を基に前記光源の波長を調整する波長調整工程を備えてなるとともに、前記波長調整工程は、前記光情報記録媒体の複数の波長調整用基準領域から得られる複数の基準波長を基に補間処理を施して記録あるいは再生位置での最適波長を算出し、前記光源の波長を前記算出した最適波長に調整する工程を含む、光情報記録再生方法。
【請求項５】
ホログラフィを利用した情報を記録するための記録領域と前記記録領域に基準マークを用いて基準波長が記録された複数の波長調整用基準領域を有する光情報記録媒体に対して、光源からの光ビームを照射して、前記光情報記録媒体に情報を記録する、および／または前記光情報記録媒体に記録された情報を再生する光情報記録再生方法において、前記基準マークの再生信号から基準波長を検出する波長検出工程と、情報の記録・再生時に、前記検出による基準波長を基に前記光源の波長を調整する波長調整工程を備えてなるとともに、前記波長調整工程は、前記光情報記録媒体の少なくとも内周と外周に配置された２つの波長調整用基準領域から得られるそれぞれの基準波長を基に補間処理を施して記録あるいは再生位置での最適波長を算出し、前記光源の波長を前記算出した最適波長に調整する工程を含む、光情報記録再生方法。
【請求項６】
周囲温度を検出する温度検出工程を備え、前記波長調整工程は、前記温度検出工程における検出温度を監視し、検出温度が所定以上の変化を示したときには、前記光源の波長を再調整する工程を含む、請求項４または請求項５に記載の光情報記録再生方法。
【請求項７】
ホログラフィを利用した情報を記録するための記録領域を有する光情報記録媒体において、基準波長による干渉縞が記録された複数の波長調整用基準領域を有し、前記複数の波長調整用基準領域のうち1つは前記記録領域の物理的に内周側に配置され、また1つは前記記録領域の物理的に外周側に配置されてなる、光情報記録媒体。
【発明の詳細な説明】
【技術分野】
【０００１】
本発明は、ホログラフィを用いて、光情報記録媒体に情報を記録する、および／または光情報記録媒体から情報を再生する光情報記録再生装置とその方法および光情報記録媒体に関する。
【背景技術】
【０００２】
現在青紫色半導体を用いた、Blu-ray Disc（BD）規格やHigh Definition  Digital Versatile Disc（HD DVD）規格などにより、民生品においても５０ＧＢ程度の記録密度を持つ光ディスクの商品化が可能となってきた。
【０００３】
今後は、光ディスクでも、１００ＧＢ〜１ＴＢというＨＤＤ（Hard Disc Drive）容量と同程度まで大容量化が望まれる。
【０００４】
しかしながら、このような超高密度を光ディスクで実現するためには、今までのような短波長化と対物レンズ高ＮＡ化による従来の高密度技術のトレンドとは異なった新しいストレージ技術が必要となる。
【０００５】
次世代のストレージ技術に関する研究が行われる中、ホログラフィを利用してデジタル情報を記録するホログラム記録技術が注目を集めている。
【０００６】
ホログラム記録技術とは、空間光変調器により２次元的に変調されたページデータの情報を有する信号光と、参照光とを記録媒体の内部で重ね合わせ、そのときに生じる干渉縞パターンによって記録媒体内に屈折率変調を生じさせることで情報を記録する技術である。
【０００７】
また情報の再生時には、記録時に用いた参照光を同じ配置で記録媒体に照射すると、記録媒体中に記録されているホログラムが回折格子のように作用して回折光を生じる。この回折光は記録した信号光と位相情報を含めて同一の光として再生される。
【０００８】
再生された信号光は、ＣＭＯＳやＣＣＤなどの光検出器を用いて２次元的に高速に検出される。このようなホログラム記録では、１つのホログラムで２次元的な情報を同時に記録／再生され、また同じ場所に複数のページデータを重ね書きすることができるため、大容量且つ高速な情報の記録再生に有効である。
【０００９】
ホログラム記録技術として、例えば、特開２００４−２７２２６８号公報（特許文献１）がある。本公報には、信号光束をレンズで光情報記録媒体に集光すると同時に、平行光束の参照光を照射して干渉させてホログラムの記録を行い、さらに参照光の光記録媒体への入射角度を変えながら異なるページデータを空間変調器に表示して多重記録行う、いわゆる角度多重記録方式が記載されている。さらに、本公報には、信号光をレンズで集光してそのビームウエストに開口（空間フィルタ）を配することにより、隣接するホログラムの間隔を短くすることができ、従来の角度多重記録方式に比べて記録密度／容量を増大させる技術が記載されている。
【００１０】
またホログラム記録技術として、例えばＷＯ２００４−１０２５４２号公報（特許文献２）がある。本公報には、１つの空間光変調器において内側の画素からの光を信号光、外側の輪帯状の画素からの光を参照光として、両光束を同じレンズで光記録媒体に集光し、レンズの焦点面付近で信号光と参照光を干渉させてホログラムを記録するシフト多重方式を用いた例が記述されている。
【００１１】
【特許文献１】特開２００４−２７２２６８号公報
【００１２】
【特許文献２】ＷＯ２００４−１０２５４２号公報
【発明の開示】
【発明が解決しようとする課題】
【００１３】
ところで、ホログラフィを利用した光情報記録再生装置においては、情報を記録・再生する際の光源の波長を管理することが重要となる。
【００１４】
しかしながら、従来技術では、ホログラムを用いて情報を記録再生する際に、光源の波長を管理することについては全く開示されていない。すなわち、光記録媒体が温度で膨張、収縮した場合には干渉縞の媒体内波長に変化が生じ、使用温度範囲が広い場合には互換再生能力に問題が生じ、信頼性が低下することがある。
【００１５】
本発明は上記問題を鑑みなされたものであり、ホログラフィを用いて情報を記録・再生する際の光源の波長を管理し、媒体内での干渉縞の媒体内波長を制限することができる光情報記録再生装置とその方法および光情報記録媒体を提供することを目的とする。
【課題を解決するための手段】
【００１６】
本発明の目的は、その一例として、ホログラフィを利用した情報を記録するための記録領域と前記記録領域に基準マークを用いて基準波長が記録された複数の波長調整用基準領域を有する光情報記録媒体に対して、光源からの光ビームを照射して、前記光情報記録媒体に情報を記録する、および／または前記光情報記録媒体に記録された情報を再生する光情報記録再生装置において、前記基準マークの再生信号から基準波長を検出する波長検出部と、情報の記録・再生時に、前記波長検出部の検出による基準波長を基に前記光源の波長を調整する波長調整部を備えるとともに、前記波長調整部は、前記光情報記録媒体の複数の波長調整用基準領域から得られる複数の基準波長を基に補間処理を施して記録あるいは再生位置での最適波長を算出し、前記光源の波長を前記算出した最適波長に調整してなることで解決できる。
【００１７】
上記光情報記録再生装置を構成するに際しては、以下の要素を付加することができる。前記波長調整部は、前記光情報記録媒体の少なくとも内周と外周に配置された２つの波長調整用基準領域から得られるそれぞれの基準波長を基に補間処理を施して記録あるいは再生位置での最適波長を算出し、前記光源の波長を前記算出した最適波長に調整してなる。周囲温度を検出する温度検出部を備え、前記波長調整部は、前記温度検出部の検出温度を監視し、検出温度が所定以上の変化を示したときには、前記光源の波長を再調整してなる。
【００１８】
また、本発明の目的は、その一例として、ホログラフィを利用した情報を記録するための記録領域と前記記録領域に基準マークを用いて基準波長が記録された複数の波長調整用基準領域を有する光情報記録媒体に対して、光源からの光ビームを照射して、前記光情報記録媒体に情報を記録する、および／または前記光情報記録媒体に記録された情報を再生する光情報記録再生方法において、前記基準マークの再生信号から基準波長を検出する波長検出工程と、情報の記録・再生時に、前記検出による基準波長を基に前記光源の波長を調整する波長調整工程を備えてなるとともに、前記波長調整工程は、前記光情報記録媒体の複数の波長調整用基準領域から得られる複数の基準波長を基に補間処理を施して記録あるいは再生位置での最適波長を算出し、前記光源の波長を前記算出した最適波長に調整する工程を含むことで解決できる。
さらにまた、ホログラフィを利用した情報を記録するための記録領域と前記記録領域に基準マークを用いて基準波長が記録された複数の波長調整用基準領域を有する光情報記録媒体に対して、光源からの光ビームを照射して、前記光情報記録媒体に情報を記録する、および／または前記光情報記録媒体に記録された情報を再生する光情報記録再生方法において、前記基準マークの再生信号から基準波長を検出する波長検出工程と、情報の記録・再生時に、前記検出による基準波長を基に前記光源の波長を調整する波長調整工程を備えてなるとともに、前記波長調整工程は、前記光情報記録媒体の少なくとも内周と外周に配置された２つの波長調整用基準領域から得られるそれぞれの基準波長を基に補間処理を施して記録あるいは再生位置での最適波長を算出し、前記光源の波長を前記算出した最適波長に調整する工程を含むことで解決できる。
【００１９】
上記光情報記録再生方法を構成するに際しては、以下の要素を付加することができる。周囲温度を検出する温度検出工程を備え、前記波長調整工程は、前記温度検出工程における検出温度を監視し、検出温度が所定以上の変化を示したときには、前記光源の波長を再調整する工程を含むこと。
【発明の効果】
【００２０】
本発明によれば、ホログラフィを利用して情報を記録再生する際の光源の波長を管理し、媒体内での干渉縞の媒体内波長を制限することができ、互換再生能力の向上と信頼性の向上を実現することが可能になる。
【発明を実施するための最良の形態】
【００２１】
以下、本発明の実施例について説明する。
【実施例１】
【００２２】
図1はホログラフィを利用してデジタル情報を記録および／または再生する光情報記録再生装置の全体的な構成を示したものである。
【００２３】
図１において、光情報記録再生装置１０は、ピックアップ１１、位相共役光学系１２、ディスクキュア（Ｃｕｒｅ）光学系１３、ディスク回転角度検出用光学系１４並びに回転モータ５０を備えており、光情報記録媒体１は回転モータ５０によって回転可能な構成となっている。
【００２４】
ピックアップ１１は、参照光と信号光を光情報記録媒体１に出射してホログラフィを利用してデジタル情報を記録する役割を果たす。この際、記録する情報信号はコントローラ８９によって信号生成回路８６を介してピックアップ１１内の後述する空間光変調器に送り込まれ、信号光は該空間光変調器によって変調される。
【００２５】
光情報記録媒体１に記録した情報を再生する場合は、ピックアップ１１から出射された参照光の位相共役光を位相共役光学系１２によって生成する。ここで位相共役光とは、入射光と同一の波面を持ちながら逆方向に進む光波のことである。該位相共役光によって再生される再生光はピックアップ１１内の後述する光検出器によって検出し、信号処理回路８５によって信号を再生する。
【００２６】
光情報記録媒体１に照射する参照光と信号光の照射時間は、ピックアップ１１内の後述するシャッタの開閉時間をコントローラ８９によってシャッタ制御回路８７を介して制御することで調整できる。
【００２７】
ディスクキュア光学系１３は、光情報記録媒体１のプリキュアおよびポストキュアに用いる光ビームを生成する役割を果たす。ここでプリキュアとは、光情報記録媒体１の所望の位置に情報を記録する際、該所望の位置に参照光と信号光を照射する前に予め所定の光ビームを照射する前工程のことである。またポストキュアとは、光情報記録媒体１内の所望の位置に情報を記録したあと、該所望の位置に追記不可能とするために所定の光ビームを照射する後工程のことである。
【００２８】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御することができる。
【００２９】
ピックアップ（光ピックアップ）１１、ディスキュア光学系１３、ディスク回転角度検出用光学系１４は、それぞれその内部に光源を有し、それぞれの光源には、光源駆動回路８２から所定の光源駆動電流が供給される。そしてそれぞれの光源は所定の光量で光ビームを発光することができる。
【００３０】
また、光ピックアップ１１、位相共役光学系１２、ディスキュア光学系１３は、光情報記録媒体１の半径方向に位置をスライドできる機構が設けられており、アクセス制御回路８１を介して位置制御が行われる。そして、位置制御により、ディスク全面での記録および再生が可能となる。
【００３１】
また光情報記録媒体１に記録された情報を再生する際には、光情報記録媒体１からの反射光をピックアップ１１で電気信号に変換し、信号処理回路８５に送信することで成される。以上の記録、再生において、光情報記録媒体１上における光スポットの焦点合わせ（オートフォーカス）およびトラック（案内溝）上への位置合わせ（トラッキング）は、サーボ信号生成回路８３およびサーボ制御回路８４を介して行われる。
【００３２】
波長検出回路９０は、情報の記録・再生時に、ピックアップ１１から再生光あるいは参照光または信号光を取り込み、光情報記録媒体１の記録領域に、基準マーク（干渉縞）として記録された基準波長を検出する波長検出部として構成されており、検出した基準波長をコントローラ８９に出力する。
【００３３】
コントローラ８９は、情報の記録・再生時に、波長検出回路９０の検出による基準波長を基に光源駆動回路８２を介してピックアップ１１の各光源の波長を調整する。この際、コントローラ８９は、周囲温度（環境温度）を検出する温度検出部としての温度センサ９１の検出温度を監視し、波長調整前後における検出温度が所定の変化を示すときには、各光源の波長を再調整することとしている。
【００３４】
ところで、ホログラフィを利用した記録技術は、超高密度な情報を記録可能な技術であるがゆえに、例えば光情報記録媒体１の傾きや位置ずれに対する許容誤差が極めて小さくなる傾向がある。それゆえピックアップ１１内に、例えば光情報記録媒体１の傾きや位置ずれなど、許容誤差が小さいずれ要因のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えてもよい。
【００３５】
またピックアップ１１、位相共役光学系１２、ディスクキュア光学系１３、ディスク回転角度検出用光学系１４は、いくつかの光学系構成または全ての光学系構成を１つにまとめて簡素化しても構わない。
【００３６】
図２は、光情報記録再生装置１０におけるピックアップ１１の光学系構成の１例を示したものである。図２において、光源３０１を出射した光ビームはコリメートレンズ３０２を通過し、シャッタ３０３に入射する。シャッタ３０３が開いているときは、光ビームはシャッタ３０３を通過したあと、例えば２分の１波長板などで構成される光学素子３０４によってＰ偏光とＳ偏光の光量比が所望の比になるように偏光方向を制御されたあと、ＰＢＳ（Ｐｏｌａｒｉｚａｔｉｏｎ  Ｂｅａｍ  Ｓｐｌｉｔｔｅｒ）プリズム３０５に入射する。
【００３７】
ＰＢＳプリズム３０５を透過した光ビームは、ビームエキスパンダ３０９によって光ビーム径を拡大されたあと、位相マスタ３１１、リレーレンズ３１０、ＰＢＳプリズム３０７を経由して空間光変調器３０８に入射する。
【００３８】
空間光変調器３０８によって情報を付加された信号光ビームはＰＢＳプリズム３０７を透過し、リレーレンズ３１２並びに空間フィルタ３１３を伝播する。そのあと、信号光ビームは対物レンズ３２５によって光情報記録媒体１に集光する。
【００３９】
一方、ＰＢＳプリズム３０５を反射した光ビームは参照光ビームとして働き、偏光方向変換素子３２４によって記録時または再生時において所定の偏光方向に設定されたあと、ミラー３１４並びにミラー３１５を経由してガルバノミラー３１６に入射する。ガルバノミラー３１６は、アクチュエータ３１７によって角度を調整可能のため、レンズ３１９とレンズ３２０を通過したあとに光情報記録媒体１に入射する参照光ビームの入射角度は、所望の角度に設定することができる。
【００４０】
このように信号光ビームと参照光ビームを光情報記録媒体１において、互いに重ね合うように入射させることで、記録媒体内には干渉縞パターンが形成され、この干渉縞パターンを光情報記録媒体１に書き込むことで情報を記録する。またガルバノミラー３１６によって光情報記録媒体１に入射する参照光ビームの入射角度を変化させることができるため、角度多重による記録が可能である。
【００４１】
記録した情報を再生する場合は、前述したように、参照光ビームを光情報記録媒体１に入射し、光情報記録媒体１を透過した光ビームをガルバノミラー３１６にて反射させることで、その位相共役光を生成する。
【００４２】
この位相共役光によって再生された再生光ビームは、対物レンズ３２５、リレーレンズ３１２並びに空間フィルタ３１３を伝播する。そのあと、再生光ビームはＰＢＳプリズム３０７を反射して光検出器３１８に入射し、記録した信号を再生することができる。
【００４３】
図３は、光情報記録再生装置１０における記録、再生の動作フローを示したものである。ここでは、ホログラフィを利用した記録再生に関するフローを説明する。
【００４４】
図３（ａ）は、光情報再生装置１０に光情報記録媒体１を挿入したあと、記録または再生の準備が完了するまでの動作フローを示し、図３（ｂ）は準備完了状態から光情報記録媒体１に情報を記録するまでの動作フロー、図３（ｃ）は準備完了状態から光情報記録媒体１に記録した情報を再生するまでの動作フローを示したものである。
【００４５】
図３（ａ）に示すように媒体を挿入すると（Ｓ１１）、光情報記録再生装置１０は、例えば挿入された媒体がホログラフィを利用してデジタル情報を記録または再生する媒体であるかどうかディスク判別を行う（Ｓ１２）。
【００４６】
ディスク判別の結果、ホログラフィを利用してデジタル情報を記録または再生する光情報記録媒体であると判断されると、光情報記録再生装置１０は光情報記録媒体に設けられたコントロールデータを読出し（Ｓ１３）、例えば光情報記録媒体に関する情報や、例えば記録や再生時における各種設定条件に関する情報を取得する。
【００４７】
コントロールデータの読出し後は、コントロールデータに応じた各種調整やピックアップ１１に係わる学習処理を行い（Ｓ１４）、光情報記録再生装置１０は、記録または再生の準備が完了する（Ｓ１５）。
【００４８】
準備完了状態から情報を記録するまでの動作フローは図４（ｂ）に示すように、記録するデータを送信して、該データに応じた情報をピックアップ１１内の空間光変調器３０８に送り込む（Ｓ２１）。そのあと、光情報記録媒体１に高品質の情報を記録できるように、必要に応じて各種学習処理を事前に行い（Ｓ２２）、シーク動作（Ｓ２３）並びにアドレス再生（Ｓ２４）を繰り返しながらピックアップ１１並びにディスクキュア光学系１３の位置を光情報記録媒体１の所定の位置に配置する。
【００４９】
そのあと、ディスクキュア光学系１３から出射する光ビームを用いて所定の領域をプリキュアし（Ｓ２５）、ピックアップ１１から出射する参照光と信号光を用いてデータを記録する（Ｓ２６）。
【００５０】
データを記録したあとは、必要に応じてデータをベリファイし（Ｓ２７）、ディスクキュア光学系１３から出射する光ビームを用いてポストキュアを行う（Ｓ２８）。
【００５１】
準備完了状態から記録された情報を再生するまでの動作フローは図４（ｃ）に示すように、光情報記録媒体１から高品質の情報を再生できるように、必要に応じて各種学習処理を事前に行う（Ｓ３１）。その後、シーク動作（Ｓ３２）並びにアドレス再生（Ｓ３３）を繰り返しながらピックアップ１１並びに位相共役光学系１２の位置を光情報記録媒体１の所定の位置に配置する。
【００５２】
その後、ピックアップ１１から参照光を出射し、光情報記録媒体１に記録された情報を読み出し、データを再生する（Ｓ３４）。
【００５３】
図４は光情報記録媒体１に２つの波長調整用基準領域を設けたときの構成を示す１例である。図４において、光情報記録媒体１の記録領域１ａのうち内周側には基準波長が基準マーク（干渉縞）のパターンで記録された波長調整用基準領域２０が配置され、外周側には基準波長が基準マーク（干渉縞）のパターンで記録された波長調整用基準領域２１が配置されている。
【００５４】
図５は光情報記録媒体１にその半径方向に沿って６つの波長調整用基準領域を設けたときの１例を示すものである。図５において、情報記録媒体１の記録領域１ａのうち内周側には基準波長が基準マーク（干渉縞）のパターンで記録された波長調整用基準領域２０が配置され、外周側には基準波長が基準マーク（干渉縞）のパターンで記録された波長調整用基準領域２１が配置され、波長調整用基準領域２０と波長調整用基準領域２１との間には、基準波長が基準マーク（干渉縞）のパターンで記録された４つの波長調整用基準領域２２、２３、２４、２５が光情報記録媒体１の径方向に沿って配置されている。
【００５５】
図６は、光情報記録再生装置１０における情報の記録再生中の波長学習処理の動作フローを示したものである。図６において、光情報記録再生装置１０で光情報記録媒体１に関する情報の記録・再生が行われているときに、コントローラ８９は、温度センサ９１の検出温度を取得し（Ｓ４１）、波長調整前後における検出温度が所定の変化を示すかを判定するために、所定以上の温度変化の検出があるか否かを判定する（Ｓ４２）。
【００５６】
このあと、コントローラ８９は、所定以上の温度変化が検出されないときにはこのルーチンでの処理を終了し、所定以上の温度変化が検出されたときには、波長学習処理に移行し（Ｓ４３）、波長学習処理で得られた波長を基に最適波長を求め、各光源、例えば、光源３０１に対する波長を最適波長に調整するための設定を行い（Ｓ４４）、このルーチンでの処理を終了する。また、ディスクが挿入された際には所定以上の温度変化を検出した場合と同様に光源３０１に対する波長調整を行う。
【００５７】
図７は、光情報記録再生装置１０における波長学習フローを示したものである。図７において、光情報記録再生装置１０で光情報記録媒体１に関する情報の記録、再生を行う際に、コントローラ８９が波長学習処理を行うときには、まず、コントローラ８９は、波長検出回路９０に対して、波長測定条件を設定し（Ｓ５１）、光源に対する波長を変更し（Ｓ５２）、ピックアップ１１の検出による再生信号レベルを取得し（Ｓ５３）、波長検出回路９０の検出による検出波長を基に最適波長の計算処理を実行する（Ｓ５４）。
【００５８】
この際、コントローラ８９は、波長検出回路９０の検出による参照光の再生信号レベルを基に図８に示すように、波長λ１と波長λ２との範囲を測定波長範囲に設定し、測定波長範囲λ１、λ２に属する波長のうち再生信号レベルの最も高い（強度の最も高い）波長を最適波長λ０として求める。このあと測定領域を変更する必要があるときには、コントローラ８９は、ステップＳ５１に戻り、波長測定条件のうち測定領域を変更したあとステップＳ５１からＳ５４の処理を繰り返し（Ｓ５５）、測定領域の変更がないときには、現在搭載されている光情報記録媒体１に対する設定波長を計算するための処理を行う（Ｓ５６）。
【００５９】
例えば、コントローラ８９は、光情報記録媒体１として、図４に示す光信号記録媒体１が用いられている場合、波長調整用基準領域２０から得られた基準波長と波長調整用基準領域２１から得られた基準波長に補間処理を施して最適波長λｍを求める。
【００６０】
一方、光情報記録媒体１として図５に示す光情報記録媒体１が用いられている場合、コントローラ８９は、光情報記録媒体１の記録領域１ａに配置された波長調整用基準領域２０〜２５に記録された基準波長に線形補間処理を施して最適波長λｎを算出する。
【００６１】
次に、コントローラ８９は、図４に示す光信号光媒体１に関する最適波長を設定するときには、波長λｍを最適波長として設定し、図５に示す光情報記録媒体１に関する最適波長を設定するときには、波長λｎを最適波長に設定し、各光源の波長を最適波長λｍまたはλｎに調整し、このルーチンでの処理を終了する。
【００６２】
本実施例によれば、ホログラフィを利用した情報を記録するための記録領域１ａを有する光情報記録媒体１に対して、光源からの光ビームを照射して、光情報記録媒体１に情報を記録する、および／または光情報記録媒体１に記録された情報を再生する過程で、波長検出回路９０の検出による基準波長を基にコントローラ８９において各光源の波長を最適波長に調整するようにしたため、光情報記録媒体１内での干渉縞の媒体内波長を制限することができ、互換再生能力の向上および信頼性の向上を実現することができる。
【００６３】
また、ディスクの複数箇所での媒体内波長を用いて調整を行うことにより媒体内での膨張、収縮による場所での変化に対応することができ安定した記録、再生を実現することができる。
【００６４】
また本実施例によれば、温度センサ９１の検出温度が所定の温度変化を示すときには、各光源に対する波長が最適波長に調整されたあとでも、コントローラ８９により、各光源の波長が最適波長に再調整されるため、光情報記録媒体１内での干渉縞の媒体内波長を常に所定値に制限することができる。
【００６５】
また、他の実施例としては、媒体内の所定個所にディスクメーカが推奨する波長で記載された基準マークを有しており、ドライブとしては、イニシャライズ時や温度変化が所定以上時あるいはベリファイ時などに該基準マークを利用して光源の波長をチューニングすることでも良い。
【００６６】
本実施例によれば、波長チューニング時にドライブは試し書き不要となる効果がある。更には本実施例の改良として、初期は本実施例のように、ディスクメーカが推奨する基準マークでチューニングするが、その後ドライブとしてより良い波長があると判断したときは、該より良いと判断した波長で媒体に新たな基準マークを記録し、以降は新たな基準マークでチューニングすることもできる。このようにすることで、よりドライブに適した波長で情報を記録・再生することができる。
【図面の簡単な説明】
【００６７】
【図１】本発明の一実施例を示す光情報記録再生装置の全体構成を示すブロック図である。
【図２】光情報記録再生装置におけるピックアップの光学系を示す構成図である。
【図３】光情報記録再生装置の記録、再生の動作フローを説明するためのフローチャートである。
【図４】記録領域に２つの波長測定用基準領域が配置された光情報記録媒体の構成図である。
【図５】記録領域に６つの波長測定用基準領域が記録された光情報記録媒体の構成図である。
【図６】光情報記録再生装置の記録・再生中の波長学習処理を説明するためのフローチャートである。
【図７】光情報記録再生装置の波長学習処理を説明するためのフローチャートである。
【図８】光情報記録再生装置における最適波長計算方法を説明するための特性図である。
【図９】光情報記録再生装置における設定波長計算方法を説明するための図である。
【図１０】光情報記録再生装置における設定波長計算方法を説明するための図である。
【符号の説明】
【００６８】
１  光情報記録媒体、１０  光情報記録再生装置、１１  ピックアップ、１２  位相共役光学系、１３  ディスクキュア光学系、１４  ディスク回転角度検出用光学系、８９  コントローラ、９０  波長検出回路、９１  温度センサ、３０１  光源
【図１】
0005238209.tif 000002
【図２】
0005238209.tif 000003
【図３】
0005238209.tif 000004
【図４】
0005238209.tif 000005
【図５】
0005238209.tif 000006
【図６】
0005238209.tif 000007
【図７】
0005238209.tif 000008
【図８】
0005238209.tif 000009
【図９】
0005238209.tif 000010
【図１０】
0005238209.tif 000011